(57)【要約】【課題】短時間で安全性、施工性に優れた足場を設置することができる足場用ブラケットを提供する。【解決手段】ウェブ５２に国土交通省標準足場用吊金具５１が設けられた鋼桁に、足場を設置するために取り付けられる足場用ブラケット１０であって、一方向に延びる所要長さを有するブラケット本体１１と、ブラケット本体１１の一方の端部に設けられ、吊金具５１に固定される取付板１２とを備え、取付板１２には、吊金具５１に形成された孔５４、５５と重なってボルトが挿入される孔１３、１４が形成されている。【選択図】図３
0003214966.tif 000002
【実用新案登録請求の範囲】
【請求項１】
ウェブに国土交通省標準足場用吊金具が設けられた鋼桁に、足場を設置するために取り付けられる足場用ブラケットであって、
一方向に延びる所要長さを有するブラケット本体と、
前記ブラケット本体の一方の端部に設けられ、前記吊金具に固定される取付板とを備え、
前記取付板には、前記吊金具に形成された孔と重なってボルトが挿入される孔が形成されていることを特徴とする足場用ブラケット。
【考案の詳細な説明】
【技術分野】
【０００１】
この考案は、足場用ブラケットに関し、さらに詳細には、国土交通省標準足場用吊金具を利用して鋼桁に取り付ける足場用ブラケットに関する。
【背景技術】
【０００２】
橋梁の施工において少数Ｉ桁（鋼桁）を架設する際には、一般に上部フランジを利用して桁上面通路足場と称される作業足場が設置される。しかしながら、このような足場の設置方法は次のような問題がある。
【０００３】
輸送され現場に到着した桁は、現場の作業スペース、トラックの待機時間削減などの理由から、できるだけ早い時間で架設する必要がある。一方、架設される桁には、鳶工用の安全設備を確保する必要があり、上記のような桁上面通路足場を短時間で設置することは難しい。このため、上部フランジに簡易の親綱を設置することになり、安全性、施工性が悪い。
【０００４】
また、床版に合成床版を使用している場合、フランジ上面にスポンジシールを貼り付ける必要がある。この場合、上記のような桁上面通路足場が設置されていると施工できないため、親綱を利用することになり、安全性、施工性ともに好ましくない。
【０００５】
なお、この考案の先行技術文献として特許文献１を挙げることができるが、同文献記載の技術は国土交通省標準足場用吊金具を利用したものではない。
【先行技術文献】
【特許文献】
【０００６】
【特許文献１】特開２００６−２６５８９９号公報
【考案の概要】
【考案が解決しようとする課題】
【０００７】
この考案は上記のような技術的背景に基づいてなされたものであって、次の目的を達成するものである。
この考案の目的は、短時間で安全性、施工性に優れた足場を設置することができる足場用ブラケットを提供することにある。
【課題を解決するための手段】
【０００８】
上記課題を解決するために、この考案の考案者らは鋭意検討を重ねた結果、鋼桁のウェブに設けられている国土交通省標準足場用吊金具に着目し、この吊金具を利用して足場用ブラケットを取付ければ、短時間で安全性、施工性に優れた足場を設置できることを見出した。
すなわち、この考案は、ウェブに国土交通省標準足場用吊金具が設けられた鋼桁に、足場を設置するために取り付けられる足場用ブラケットであって、
一方向に延びる所要長さを有するブラケット本体と、
前記ブラケット本体の一方の端部に設けられ、前記吊金具に固定される取付板とを備え、
前記取付板には、前記吊金具に形成された孔と重なってボルトが挿入される孔が形成されていることを特徴とする足場用ブラケットにある。
【考案の効果】
【０００９】
この考案の足場用ブラケットによれば、短時間で安全性、施工性に優れた足場を設置することができる。
【図面の簡単な説明】
【００１０】
【図１】国土交通省標準足場用吊金具を示し、（ａ）はＡタイプ、（ｂ）はＢタイプをそれぞれ示す正面図である。
【図２】この考案による足場用ブラケットの実施形態を示し、（ａ）は正面図、（ｂ）は平面図である。
【図３】足場用ブラケットをＢタイプの吊金具に取り付けた状態を示し、（ａ）は正面図、（ｂ）は平面図、また（ｃ）は取付け時に必要に応じて用いられる当て板の正面図である。
【図４】足場用ブラケットをＡタイプの吊金具に取り付けた状態を示す正面図である。
【考案を実施するための形態】
【００１１】
この考案の実施形態を図面を参照しながら以下に説明する。まず、この考案による足場用ブラケットが取り付けられる国土交通省標準足場用吊金具を図１を参照して説明する。同図（ａ）に示すＡタイプの吊金具５０、（ｂ）に示すＢタイプの吊金具５１はいずれも鋼桁のウェブ５２に溶接により固定されている。これら吊金具５０、５１は桁の長さ方向に所定間隔（１．８ｍ以下）を置いてウェブ５２に多数設けられている。
【００１２】
Ａタイプの吊金具５０は床版打設時及び塗装時の足場用として使用され、中央に吊り足場を吊すチェーンを取り付けるための大径の孔５３が設けられている。Ｂタイプの吊金具５１は塗装足場用とＲＣ床版の現場打設時に用いる型枠支保工用に兼用される。上下方向に間隔を置いた３つの孔５４、５５、５６が設けられ、上段及び中段の小径の孔５４、５５は支保工のはりの固定と防護工の引留めのために使用され、下段の大径の孔５６は吊り足場を吊すチェーンを取り付けるために使用される。
【００１３】
図２は、この考案による足場用ブラケットの実施形態を示している。足場用ブラケット１０は、ブラケット本体１１と取付板１２とを備える。ブラケット本体１１は一方向に延びる所要長さを有し、この実施形態では山形鋼からなっている。取付板１２はブラケット本体１１の一方の端部に溶接等により固定されている。
【００１４】
取付板１２には上下方向に間隔を置いた２つの孔１３、１４と、上段の孔１３に対して斜め上方に間隔を置いた１つの孔１５との計３つの小径の孔１３、１４、１５が形成されている。３つの孔のうち孔１５は、図１（ａ）に示したＡタイプの吊金具５０への足場用ブラケット１０の取付け時に、吊金具５０の孔５３に包摂されて重なるようになっている。また、３つの孔のうち孔１３、１４は、図１（ｂ）に示したＢタイプの吊金具５１への足場用ブラケット１０の取付け時に、吊金具５１の孔５４、５５にそれぞれ重なるようになっている。
【００１５】
なお、取付板１２に形成した大径の孔１６は、吊り足場を吊すチェーンを取り付けるために付加的に形成したものである。
【００１６】
図３は、上記足場用ブラケット１０をＢタイプの吊金具５１に取り付けた状態を示している。吊金具５１は鋼桁のウェブ５２の上部フランジ５７寄りに設けられている。取付板１２を吊金具５１に添わせ、吊金具５１の孔５４、５５と取付板１２の孔１３、１４がそれぞれ重なるようにする。そして、孔１３、５４及び孔１４、５５に図示しないボルトを挿入し、図示しないナットを螺着して取付板１２を吊金具５１に緊締する。
【００１７】
このようにして、ウェブ５２の長さ方向に多数設けられた吊金具５１のそれぞれに足場用ブラケット１０を取り付ける。そして、多数配列されたブラケット本体１１の上に足場板５８を架け渡し、またブラケット本体１１の端部に手摺り５９を取り付け、足場が完成する。以上のように、この考案の足場用ブラケット１０によれば、国土交通省標準足場用吊金具を利用して、短時間で安全性、施工性に優れた足場を設置することができる。
【００１８】
また、足場はウェブ５２の側方に設置されることになるので、床版に合成床版を使用している場合であっても、足場を利用してフランジ上面にスポンジシールを貼り付けることができる。
【００１９】
なお、取付板１２と反対側の吊金具５１の面には当て板１７が配置される。この当て板１７には、図３（ｃ）に示すように、孔１３、５４及び孔１４、５５と重なってボルトが挿入される孔１８、１９が形成されている。この当て板１７は、耐候性仕様の場合には用いなくともよい。
【００２０】
孔１４、５５にのみボルトを取り付けることにより、足場用ブラケット１０は図３（ａ）に矢印で示すように、鉛直方向に回転して水平位置と垂下位置との間を移動可能となる。工場においては、足場用ブラケット１０が垂下位置となるように吊金具５１に取り付け、また足場板５８や手摺り５９も取り付けておき、施工現場で足場用ブラケット１０を水平位置にもたらして孔１３、５４にボルトを取り付けて固定することにより、足場の設置を一層短時間で行うことができる。
【００２１】
図４は、足場用ブラケット１０をＡタイプの吊金具５０に取り付けた状態を示している。取付板１２を吊金具５０に添わせ、吊金具５０の孔５３と取付板１２の孔１５が重なるようにする。そして、孔１５、５３に図示しないボルトを挿入し、図示しないナットを螺着して取付板１２を吊金具５０に緊締する。このようにして、ウェブ５２の長さ方向に多数設けられた吊金具５０のそれぞれに足場用ブラケット１０を取り付け、Ｂタイプの吊金具５１の場合と同様に、多数配列されたブラケット本体１１の上に足場板５８を架け渡し、またブラケット本体１１の端部に手摺り５９を取り付ける。
【００２２】
上記実施形態は例示にすぎず、この考案は種々の改変が可能である。例えば、上記実施形態ではブラケット本体として山形鋼を用いたが、これに限らず溝形鋼等の他の鋼材を用いることもできる。
【符号の説明】
【００２３】
１０：足場用ブラケット
１１：ブラケット本体
１２：取付板
１３、１４、１５：孔
５０：Ａタイプの吊金具
５１：Ｂタイプの吊金具
５２：ウェブ
５３：孔
５４、５５：孔
【図１】
0003214966.tif 000003
【図２】
0003214966.tif 000004
【図３】
0003214966.tif 000005
【図４】
0003214966.tif 000006